(57)【要約】【課題】  簡単な処理でファイルサイズを小さくでき、且つ、オリジナルデータの品質を再現できる記録再生装置およびデータ伝送システムを提供する。【解決手段】  家庭用記録再生装置１０１は保存されている圧縮データを２分割し、一方を自器に保存、他方を移動体用記録再生装置１０２に送信する。それぞれの分割済圧縮データはそれぞれの機器で補間処理を行うことで再生可能である。家庭用記録再生装置１０１は、移動体用記録再生装置１０２から分割済圧縮データを受信し、分割済圧縮データを合成することで下の圧縮データを復元することができる。【選択図】        図１
2005295432.tif 000002
【特許請求の範囲】
【請求項１】
入力信号に基づくオリジナルデータの記録および読み出しが可能な記録手段と、
前記オリジナルデータを読み出して、ある一定の単位に従って分割することによって、第１分割済データと、少なくとも１つ以上の第２分割済データとを生成するデータ分割手段と、
前記第２分割済データの少なくとも１つを外部機器へ送信する通信手段と、
前記第１分割済データを再生するために不足しているデータを前記第１分割済データに対して補間した補間済データを生成する補間手段と、
前記補間済データを再生する再生手段とを備え、
前記データ分割手段は、前記オリジナルデータの分割後に当該オリジナルデータを前記記録手段から削除し、第１分割済データを前記記録手段に記録する
ことを特徴とする記録再生装置。
【請求項２】
前記記録再生装置は、さらに前記データ分割手段で生成された前記第１分割済データと少なくとも１つ以上の前記第２分割済データを合成して前記オリジナルデータを復元するデータ合成手段を備え、
前記通信手段は、前記外部機器に送信した前記第２分割済データを受信し、
前記データ合成手段は、前記第１分割済データを前記記録手段から読み出して、前記通信手段が受信した少なくとも１つ以上の前記第２分割済データと合成する
ことを特徴とする請求項１記載の記録再生装置。
【請求項３】
前記データ分割手段が生成する前記第１分割済データと、少なくとも１つ以上の前記第２分割済データとは、すべて同じデータサイズである
ことを特徴とする請求項１または２記載の記録再生装置。
【請求項４】
前記オリジナルデータは、ＭＰＥＧ（Moving Picture Experts Group）規格に準拠した方式で圧縮されており、
前記データ分割手段は、前記オリジナルデータをＧＯＰ（Group Of Pictures）単位で分割し、
前記再生手段は、前記補間済データを伸張する
ことを特徴とする請求項１〜３のいずれか１項に記載の記録再生装置。
【請求項５】
前記オリジナルデータは、ステレオ音声データであり、
前記第２分割済データは、１つであり、
前記データ分割手段は、ステレオ音声データをＬチャンネルデータとＲチャンネルデータとに分割し、一方を前記第１分割済データに、他方を前記第２分割済データにそれぞれ割り当てる
ことを特徴とする請求項１〜４のいずれか１項に記載の記録再生装置。
【請求項６】
外部機器から送信された一部が欠落した第２分割済データを受信する通信手段と、
前記通信手段が受信した第２分割済データの記録および読み出しが可能な記録手段と、
前記第２分割済データを読み出して、再生が可能な状態となるように不足データを前記第２分割済データに対して補間した補間済データを生成するデータ補間手段と、
前記補間済データを再生する再生手段と
を備えることを特徴とする記録再生装置。
【請求項７】
前記通信手段は、前記第２分割データを読み出して前記外部機器へ送信し、送信後、前記第２分割データを当該記録手段から削除する
ことを特徴とする請求項６記載の記録再生装置。
【請求項８】
第１記録再生装置と、少なくとも１台以上の第２記録再生装置とから構成されるデータ伝送システムであって、
前記第１記録再生装置は、
入力信号に基づくオリジナルデータの記録および読み出しが可能な第１記録装置と、
前記オリジナルデータを読み出して、ある一定の単位に従って分割することによって、第１分割済データと、少なくとも１つ以上の第２分割済データを生成するデータ分割手段と、
前記第２記録再生装置と前記第２分割済データを送受信する第１通信手段と、
前記第１分割済データを再生するために不足しているデータを前記第１分割済データに対して補間する第１データ補間手段と、
前記第１データ補間手段で生成された第１補間済データを再生する第１再生手段と、
前記第１分割済データと少なくとも１つ以上の前記第２分割済データを合成するデータ合成手段とを備え、
前記第２記録再生装置は、
前記第１記録再生装置と前記２分割済データを送受信する第２通信手段と、
前記分割済データを再生するために不足しているデータを前記分割済データに対して補間する第２データ補間手段と、
前記第２データ補間手段で生成された第２補間済データを再生する第２再生手段とを備える
ことを特徴とするデータ伝送システム。
【発明の詳細な説明】
【技術分野】
【０００１】
本発明は記録再生装置およびデータ伝送システムに関し、より特定的には、２台の記録再生装置間で画像ファイルを効率的に伝送する記録再生装置およびデータ伝送システムに関する。
【背景技術】
【０００２】
データのデジタル化により、ファイルの転送が容易に行われるようになった。データが動画データの場合はファイルサイズが大きいため、一般的には記録時や送信時に圧縮処理が行われる。
【０００３】
近年では、圧縮して記録しておいたものに対して、さらに圧縮（再符号化）することでレートを下げることが要望されることがある。例えば、圧縮されたファイルを外部機器へ伝送するときに通信帯域が十分なレートを確保されない場合、あるいは、記録媒体の容量を有効に利用するためにファイルサイズを小さくする場合などである。
【０００４】
従来の「動画像の伝送レート変換装置」では、処理負担を少なくして所望の伝送レートに変換することを可能とするため、画素ブロック内の値（ＤＣＴ係数や動き補償データなど）が有意であるか否かを判断することで、有意でないと判断した場合は０に置き換え、ビットレートを下げるという処理を行うようにしている（例えば、特許文献１参照。）。これにより、再符号化のような複雑な処理を行うことなくビットレートを下げることができる。
【特許文献１】特開２００１−１８６５１９号公報（第１−８頁、第１図）
【発明の開示】
【発明が解決しようとする課題】
【０００５】
しかし、従来技術では一度ビットレートを下げてしまうと、オリジナルデータ（再符号化する前のデータ）の高品質な画像を再現することができない。
ここで、オリジナルデータはそのまま保存しておき、ビットレートを下げたファイルを新規に作成することが考えられるが、記録媒体の観点からすると無駄にファイル数を増やすことになり、効率的であるとはいえない。
【０００６】
本発明は、前記従来の課題を解決するもので、簡単な処理でファイルサイズを小さくでき、且つ、オリジナルデータの品質を再現できる記録再生装置およびデータ伝送システムを提供することを目的とする。
【課題を解決するための手段】
【０００７】
上記課題を解決するために、本発明の記録再生装置においては、入力信号に基づくオリジナルデータの記録および読み出しが可能な記録手段と、前記オリジナルデータを読み出して、ある一定の単位に従って分割することによって、第１分割済データと、少なくとも１つ以上の第２分割済データとを生成するデータ分割手段と、前記第２分割済データの少なくとも１つを外部機器へ送信する通信手段と、前記第１分割済データを再生するために不足しているデータを前記第１分割済データに対して補間した補間済データを生成する補間手段と、前記補間済データを再生する再生手段とを備え、前記データ分割手段は、前記オリジナルデータの分割後に当該オリジナルデータを前記記録手段から削除し、第１分割済データを前記記録手段に記録することを特徴とする。
【０００８】
この構成により、簡単な処理でファイルサイズを小さくしたデータを外部機器へ転送でき、また分割したファイルそれぞれを再生することができる。
【０００９】
また、本発明の記録再生装置においては、前記記録再生装置は、さらに前記データ分割手段で生成された前記第１分割済データと少なくとも１つ以上の前記第２分割済データを合成して前記オリジナルデータを復元するデータ合成手段を備え、前記通信手段は、前記外部機器に送信した前記第２分割済データを受信し、前記データ合成手段は、前記第１分割済データを前記記録手段から読み出して、前記通信手段が受信した少なくとも１つ以上の前記第２分割済データと合成することを特徴とすることができる。
この構成により、オリジナルデータの品質を復元することが可能である。
【００１０】
また、本発明の記録再生装置においては、前記データ分割手段が生成する前記第１分割済データと、少なくとも１つ以上の前記第２分割済データとは、すべて同じデータサイズであることを特徴とすることもできる。
【００１１】
この構成により、ファイルの保存元と転送先のデータの品質をほぼ同等にすることができる。
【００１２】
また、本発明の記録再生装置においては、前記オリジナルデータは、ＭＰＥＧ（Moving Picture Experts Group）規格に準拠した方式で圧縮されており、前記データ分割手段は、前記オリジナルデータをＧＯＰ（Group Of Pictures）単位で分割し、前記再生手段は、前記補間済データを伸張することを特徴としてもよい。
【００１３】
この構成により、ＭＰＥＧ規格に準拠した圧縮ファイルにおいて、効率的に処理を行うことができる。
【００１４】
また、本発明の記録再生装置においては、前記オリジナルデータは、ステレオ音声データであり、前記第２分割済データは、１つであり、前記データ分割手段は、ステレオ音声データをＬチャンネルデータとＲチャンネルデータとに分割し、一方を前記第１分割済データに、他方を前記第２分割済データにそれぞれ割り当てることを特徴とすることもできる。
この構成により、音声データを簡単に分割することができる。
【００１５】
また、本発明の記録再生装置においては、外部機器から送信された一部が欠落した第２分割済データを受信する通信手段と、前記通信手段が受信した第２分割済データの記録および読み出しが可能な記録手段と、前記第２分割済データを読み出して、再生が可能な状態となるように不足データを前記第２分割済データに対して補間した補間済データを生成するデータ補間手段と、前記補間済データを再生する再生手段とを備えることを特徴とする。
この構成により、受信した一部が欠落したデータの再生を補償することができる。
【００１６】
また、本発明の記録再生装置においては、前記通信手段は、前記第２分割データを読み出して前記外部機器へ送信し、送信後、前記第２分割データを当該記録手段から削除することを特徴とすることができる。
【００１７】
この構成により、オリジナルデータを復元する際の記録媒体の効率的な利用を実現できる。
【００１８】
また、本発明のデータ伝送システムにおいては、第１記録再生装置と、少なくとも１台以上の第２記録再生装置とから構成されるデータ伝送システムであって、前記第１記録再生装置は、入力信号に基づくオリジナルデータの記録および読み出しが可能な第１記録装置と、前記オリジナルデータを読み出して、ある一定の単位に従って分割することによって、第１分割済データと、少なくとも１つ以上の第２分割済データを生成するデータ分割手段と、前記第２記録再生装置と前記第２分割済データを送受信する第１通信手段と、前記第１分割済データを再生するために不足しているデータを前記第１分割済データに対して補間する第１データ補間手段と、前記第１データ補間手段で生成された第１補間済データを再生する第１再生手段と、前記第１分割済データと少なくとも１つ以上の前記第２分割済データを合成するデータ合成手段とを備え、前記第２記録再生装置は、前記第１記録再生装置と前記２分割済データを送受信する第２通信手段と、前記分割済データを再生するために不足しているデータを前記分割済データに対して補間する第２データ補間手段と、前記第２データ補間手段で生成された第２補間済データを再生する第２再生手段とを備えることを特徴とする。
この構成により、ファイルの分割・合成を簡単な処理で実現することができる。
【００１９】
なお、本発明は、このような記録再生装置や、データ伝送システムとして実現することができるだけでなく、このような記録再生装置が備える特徴的な手段をステップとする記録再生方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのはいうまでもない。
【発明の効果】
【００２０】
本発明の記録再生装置およびデータ伝送システムによれば、簡単な分割処理でファイルサイズを小さくすることができ、また、再生を補償し、さらに分割したファイルを合成することでオリジナルデータの品質を簡単に復元することができる。
【発明を実施するための最良の形態】
【００２１】
以下、本発明の実施の形態における記録再生装置およびデータ伝送システムについて、図面を用いて説明する。
図１は、本実施の形態におけるデータ伝送システムの構成を示すブロック図である。
【００２２】
図１に示されるように、本実施の形態におけるデータ伝送システムは、２台の記録再生装置（家庭用記録再生装置１０１，移動体用記録再生装置１０２）から構成される。
家庭用記録再生装置１０１は、圧縮部１０４、記録部１０５ａ、伸長・再生部１０６ａ、データ補間部１０７ａ、データ分割部１０８、通信部１０９ａ、データ合成部１１０から構成される。また、家庭用記録再生装置１０１には、表示部１０３ａが接続される。
【００２３】
圧縮部１０４は、入力信号（例えば、テレビ信号とする）をＭＰＥＧ−２（Moving Picture Experts Group phase 2）などの圧縮方式にて圧縮を行う。入力信号がアナログ放送の場合はＡ／Ｄ変換されるものとし（図示せず）、圧縮部１０４に入力される信号はデジタル信号である。
【００２４】
圧縮部１０４にて生成された圧縮データ（オリジナルデータ）は、記録部１０５ａに記録される。記録された圧縮データは、要求に応じて読み出すことが可能である。記録部１０５ａとしては、例えばハードディスクドライブが用いられる。
【００２５】
データ分割部１０８は、記録部１０５ａに蓄積された圧縮データを読み出し、それを保存用分割済圧縮データと送信用分割済圧縮データとに２分割する。２分割された圧縮データのうち、保存用分割済圧縮データは記録部１０５ａへ、送信用分割済圧縮データは通信部１０９ａへ送信される。記録部１０５ａに送信された保存用分割済圧縮データは、記録部１０５ａへ保存される。なお、保存用分割済圧縮データを記録部１０５ａへ保存すると、データ分割部１０８は、オリジナルデータを記録部１０５ａから削除する。
【００２６】
通信部１０９ａは、送信用分割済圧縮データを移動体用記録再生装置１０２へ送信し、また移動体用記録再生装置１０２が送信した送信用分割済圧縮データを受信して、データ合成部１１０に出力する。
【００２７】
データ合成部１１０は、記録部１０５ａから読み出した保存用分割済圧縮データと、通信部１０９ａが受信した送信用分割済圧縮データとを合成し、元の圧縮データを生成する。生成された圧縮データは、記録部１０５ａへ出力され、記録される。
【００２８】
データ補間部１０７ａは、保存用分割済圧縮データに対して補間を行い、伸長・再生部１０６ａにて伸長可能な補間済圧縮データを生成する。
伸長・再生部１０６ａは、記録部１０５ａに蓄積された圧縮データ（オリジナルデータ）、あるいは、データ補間部１０７ａにて生成された補間済圧縮データを伸長する。伸長されたデータは、再生信号として表示部１０３ａに送信される。
【００２９】
表示部１０３ａは、ディスプレイやスピーカであり、再生信号を表示する。
移動体用記録再生装置１０２は、通信部１０９ｂ、記録部１０５ｂ、データ補間部１０７ｂ、伸長・再生部１０６ｂから構成される。また、移動体用記録再生装置１０２には表示部１０３ｂが接続される。
【００３０】
通信部１０９ｂは、外部機器からデータ（送信用分割済圧縮データ）を受信し、記録部１０５ｂへ送信する。また、通信部１０９ｂは、記録部１０５ｂに蓄積されたデータを読み出し、外部機器へデータ送信する。
【００３１】
記録部１０５ｂには通信部１０９ｂが受信したデータが記録される。記録されたデータは要求に応じて読み出すことが可能である。記録部１０５ｂとしては、例えばハードディスクドライブが用いられる。本実施の形態では送信用分割済圧縮データを家庭用記録再生装置１０１から通信部１０９ｂが受信し、記録部１０５ｂに記録されるものとする。
【００３２】
データ補間部１０７ｂは、データ補間部１０７ａと同様に、（送信用）分割済圧縮データを記録部１０５ｂから読み出し、分割済圧縮データに対して補間を行う。データ補間部１０７ｂで生成された補間済圧縮データは、伸長・再生部１０６ｂで伸長され、表示部１０３ｂで表示される。
【００３３】
本実施の形態では、テレビ信号、すなわち圧縮データ（オリジナルデータ）は既に記録部１０５ａに蓄積されているものとし、家庭用記録再生装置１０１と移動体用記録再生装置１０２は互いの通信部を経てインターネットを経由した無線通信が可能であるものとする。
【００３４】
次に、家庭用記録再生装置１０１が圧縮データを分割し、移動体用記録再生装置１０２へ分割したデータのうち一方のデータを送信するデータ分割・送信処理について説明する。本実施の形態では、データの分割は外部機器へデータ送信を行う際に行われるものとする。
【００３５】
図２は、データ分割・送信処理の動作を表したフローチャートである。以下にその動作の詳細を説明する。ここでは、圧縮データが先頭のシーケンスヘッダと、それに続く複数のｃｌｏｓｅｄ ＧＯＰ（Group Of Picture）で構成されるＭＰＥＧビデオストリームの場合について説明する。
【００３６】
まず、ユーザからデータ送信の指示を受けると、データ分割部１０８は、記録部１０５ａから当該データのシーケンスヘッダ情報を読み出す（Ｓ１０１）。そして、読み出したシーケンスヘッダ情報を、記録部１０５ａに保存するとともに、通信部１０９ａへ出力する（Ｓ１０２）。なお、記録部１０５ａと通信部１０９ａに送信されるシーケンスヘッダ情報は、読み出したものと同じものである。
【００３７】
次にデータ分割部１０８は、ＧＯＰのデータを記録部１０５ａから読み出す（Ｓ１０３）。この際、データ分割部１０８は、読み出したデータがＭＰＥＧの何番目のＧＯＰであるのかを管理しておく。
【００３８】
次にデータ分割部１０８は、読み出したデータが偶数番目のＧＯＰのデータであるか否かを判断する（Ｓ１０４）。偶数番目のＧＯＰのデータである場合は、ステップＳ１０５へ、そうでない場合、すなわち、読み出したデータが奇数番目のＧＯＰのデータである場合はステップＳ１０７へ進む。
【００３９】
ステップＳ１０５では、データ分割部１０８は、偶数番目のＧＯＰのデータを記録部１０５ａへ保存する。そして、ＧＯＰヘッダ情報を通信部１０９ａへ出力する（Ｓ１０６）。また、ステップＳ１０７では、データ分割部１０８は、奇数番目のＧＯＰのデータを通信部１０９ａへ出力する。そして、ＧＯＰヘッダ情報を記録部１０５ａへ保存する（Ｓ１０８）。このようにＧＯＰヘッダ情報も分割後のそれぞれのファイルに含まれることになる。そして、データ分割部１０８は、記録部１０５ａに保存された偶数番目のＧＯＰのデータ、あるいは、通信部１０９ａに出力された奇数番目のＧＯＰのデータの元の読み出したデータ、すなわちオリジナルＧＯＰデータを記録部１０５ａから削除する（Ｓ１０９）。
【００４０】
そして、データ分割部１０８は、当該データをすべて読み出したか否かを判断し（Ｓ１１０）、終了の場合は処理を終了する。読み出すデータが存在する場合は、ステップＳ１０３に戻り、動作を繰り返す。
【００４１】
上記の動作において、通信部１０９ａに出力されたデータはインターネットを経由して移動体用記録再生装置１０２に送信される。そして、通信部１０９ｂで受信したデータは記録部１０５ｂに保存される。
【００４２】
このようなデータ分割・送信処理により、オリジナルのＭＰＥＧファイルが２つのデータに分割されることになる。
【００４３】
図３は、データ分割の概要を表した図である。図３に示されるように、分割後はヘッダ情報のみ共通のもので、ＧＯＰデータはそれぞれ異なるものを所持するようになる。なお、図３では簡略化して表現しているが、実際のＧＯＰは１５フレームなどを１つのＧＯＰとして構成する。また、ＭＰＥＧファイルはシーケンスヘッダ、ＧＯＰヘッダ以外にもピクチャヘッダなどいくつかの種類のヘッダ情報が存在する。これらのヘッダ情報も実際は共有しているが、簡略化のために、図３では省略されている。
【００４４】
次に、分割済圧縮データ再生処理について説明する。
図４は、家庭用記録再生装置１０１における（保存用）分割済圧縮データ再生処理のフローチャートである。以下にその詳細を説明する。
【００４５】
まず、ユーザから再生指示を受ける（Ｓ２０１）。この再生指示は、機器を直接操作してもよいし、リモコンなどで遠隔操作してもよい。
次に、データ補間部１０７ａは、再生するシーンが偶数番目のＧＯＰのデータであるか否かを判断する（Ｓ２０２）。記録部１０５ａに保存されている保存用分割済圧縮データは奇数番目のストリームデータが間引かれており、ＭＰＥＧのファイルとして完全な状態ではないが、ヘッダ情報はそのままの状態で保存してあるため、ヘッダ情報を読み出すことで把握することができる。再生するシーンが偶数番目（Ｓ２０２においてＹＥＳ）のＧＯＰのデータの場合は、ステップＳ２０４へ進む。そうでない場合、すなわち再生するシーンが奇数番目（Ｓ２０２においてＮＯ）のＧＯＰのデータの場合はステップＳ２０３へ進む。
【００４６】
ステップＳ２０３では、データ分割・送信処理の際に間引かれたデータ（実際には移動体用記録再生装置１０２に送信されたデータ）を補間する。ここでは０を補間することにする。このデータ補間はデータ補間部１０７ａが行う。
【００４７】
ステップＳ２０４では、伸長・再生部１０６ａは、データ補間部１０７ａから出力されたデータを伸長する（Ｓ２０４）。ステップＳ２０３において奇数番目のＧＯＰのデータ部分を補間することにより、データ補間部１０７ａから出力される補間済圧縮データ、すなわち、伸長・再生部１０６ａへの入力データは、ＭＰＥＧファイルとして完全な状態のものである。
【００４８】
そして、再生が終了したかを確認し（Ｓ２０５）、終了の場合は処理を終え、そうでない場合は、ステップＳ２０２に戻り上記の動作を繰り返す。
【００４９】
図５は、記録部１０５ａに保存されている保存用分割済圧縮データとデータ補間部１０７ａで生成された補間済圧縮データの概要を示している。図５に示されるように、分割済圧縮データは、シーケンスヘッダ、ＧＯＰヘッダ、偶数番目のＧＯＰデータで構成される。なお、ＧＯＰは０番目からカウントしている。奇数番目のＧＯＰについては、ＧＯＰヘッダのみが存在している。保存用分割済圧縮データをデータ補間部１０７ａで読み出し、補間処理を行うことで補間済圧縮データを生成する。生成された補間済圧縮データには、補間されたデータが追加されている。ステップＳ２０３で説明したように、実際にはすべての値が０である。このような補間処理を行うことで、完全なＭＰＥＧファイルを生成できる。
【００５０】
ここでは、図４、図５を用いて家庭用記録再生装置１０１における保存用分割済圧縮データの再生動作について説明したが、移動体用記録再生装置１０２における送信用分割済圧縮データの再生についても、同様の再生動作を行うことができる。ただし、送信用分割済圧縮データの場合は、偶数番目のＧＯＰデータが間引きされているため、偶数番目のＧＯＰデータの部分が０で補間される。
【００５１】
以上のように、それぞれの分割済圧縮データを互いの機器において再生することが可能である。
【００５２】
次に、移動体用記録再生装置１０２から送信用分割圧縮データを家庭用記録再生装置１０１に送信し、保存用分割済圧縮データと合成するデータ送信・合成処理について説明する。
【００５３】
図６は、データ送信・合成処理のフローチャートである。以下にその詳細を説明する。
まず、家庭用記録再生装置１０１の動作から説明する。家庭用記録再生装置１０１は、移動体用記録再生装置１０２から送信されたデータ送信通知を受信し、ＡＣＫを移動体用記録再生装置１０２に送信する（Ｓ３０１）。これらのデータの送受信は通信部１０９ａで行われる。データ送信通知を受信することで、家庭用記録再生装置１０１は、データ受信およびデータ合成の準備を行う。
【００５４】
次に、移動体用記録再生装置１０２から送信された送信用分割済圧縮データを受信する（Ｓ３０２）。そして、記録部１０５ａに保存されている保存用分割済圧縮データとの合成処理を行う（Ｓ３０３）。合成処理の詳細は後述する。
【００５５】
最後に、記録部１０５ａから保存用分割済圧縮データを削除して（Ｓ３０４）、処理を終了する。
次いで、移動体用記録再生装置１０２の動作について説明する。まず、ユーザからデータ送信の指示を受信する（Ｓ４０１）。このデータ送信の指示は、機器を直接操作してもよいし、リモコンなどで遠隔操作してもよい。
【００５６】
次に、移動体用記録再生装置１０２は、家庭用記録再生装置１０１に対してデータ送信通知を送信する（Ｓ４０２）。この送信は、通信部１０９ｂを介して行われる。そして、家庭用記録再生装置１０１からＡＣＫを受信する（Ｓ４０３）。
【００５７】
ステップＳ４０３でＡＣＫを受信すると、移動体用記録再生装置１０２は、送信用分割済圧縮データの送信を開始する（Ｓ４０４）。そして、データ送信後に記録部１０５ｂから送信用分割済圧縮データを削除して（Ｓ４０５）、処理を終了する。
【００５８】
ステップＳ４０４、ステップＳ３０２におけるデータの送受信は、実際にはパケット通信などで行われるため、送信、受信の動作が繰り返される。
【００５９】
図７は、ステップＳ３０３における合成処理の動作のサブルーチンを表したフローチャートである。合成処理は、データ合成部１１０にて行われる。以下に詳細を説明する。
【００６０】
まず、データ合成部１１０は、シーケンスヘッダ情報を読み出す（Ｓ５０１）。シーケンスヘッダ情報は、保存用分割済圧縮データ、送信用分割済圧縮データそれぞれに存在するが、同様のものであるため、どちらを読み出すようにしてもよい。ここでは、例えば、保存用分割済圧縮データから、すなわち、記録部１０５ａから当該データを読み出すものとする。なお、ＧＯＰヘッダなどのその他のヘッダについても同様のことがいえるが、各種ヘッダ情報は読み出した後、記録部１０５ａに保存されるものとする。説明の簡略化のため、図７では、その表記が省略されている。
【００６１】
次に、データ合成部１１０は、次に読み出すべきデータが偶数番目のＧＯＰのデータであるか否かを判断する（Ｓ５０２）。偶数番目のＧＯＰのデータである（Ｓ５０２においてＹＥＳ）場合は、ステップＳ５０３へ、そうでない場合、すなわち奇数番目のＧＯＰのデータである（Ｓ５０２においてＮＯ）場合は、ステップＳ５０４へ進む。
【００６２】
ステップＳ５０２においてＹＥＳの場合は、当該データは保存用分割済圧縮データ内に存在するため、データ合成部１１０は、記録部１０５ａから当該データを読み出す（Ｓ５０３）。ステップＳ５０２においてＮＯの場合は、当該データは送信用分割済圧縮データ内に存在するため、データ合成部１１０は、通信部１０９ａより受信する（Ｓ５０４）。そして、記録部１０５ａから読み出した、あるいは、通信部１０９ａから受信したデータを記録部１０５ａに保存する（Ｓ５０５）。
【００６３】
そして、データ合成部１１０は、データの合成が完了したか否かを判断する（Ｓ５０６）。これはヘッダ情報からファイルサイズ等を判断することで行う。合成処理が完了の場合は処理を終了し、そうでない場合はステップＳ５０２に戻り上記の動作を繰り返す。
【００６４】
図８は、保存用分割済圧縮データと送信用分割済圧縮データ、そして合成処理により復元された圧縮データの概要を示している。図８からわかるように、ヘッダデータ（シーケンスヘッダ、ＧＯＰヘッダ、その他）と、保存用分割済圧縮データに含まれる偶数番目のＧＯＰのデータと、送信用分割済圧縮データに含まれる奇数番目のＧＯＰのデータを合成することで、分割する前の圧縮データ（オリジナルデータ）を完全に復元することが可能である。復元されたデータは完全なＭＰＥＧファイルであるため、通常通り再生することが可能である。
【００６５】
以上、説明したデータ伝送システムでは、ＭＰＥＧファイルを２つに分割することでデータサイズを小さくすることができ、それぞれ再生するのに不足しているデータを補間することで再生可能することができる。分割の際にはデータを再圧縮することがないため、処理の負担が小さくてよい。また、分割したファイルを合成することで、高品質のファイルを復元することができる。
【００６６】
なお、本実施の形態では画像データについて述べたが、音声データについては、例えば、ステレオ音声をＬチャンネルとＲチャンネルに分割して、一方を家庭用記録再生装置に、他方を移動体用記録再生装置に、それぞれで保存するなどすれば、データサイズを小さくでき、それぞれで再生も可能であり、さらに合成して復元することも可能となる。
【００６７】
なお、記録再生装置は家庭用と移動体用としたが、これに限られたものではない。２台とも家庭用記録再生装置にするなど、様々な形態で実現可能である。
また、記録部にはハードディスクドライブを用いるとしたが、これに限られたものではない。データの読み書きが可能な記録媒体であればよい。
【００６８】
また、家庭用記録再生装置と移動体用記録再生装置はインターネットを経由した無線通信を行うとしたがこれに限られたものではない。他の無線通信方式でもよい。あるいは有線通信でも同様のシステムを構築することができる。
【００６９】
なお、データはテレビ信号としたが、これに限られたものではない。インターネット等の配信ビデオなどでもよい。
なお、実際のＭＰＥＧファイルは、例えば、ＰＳ（Program Stream）パケットなどの単位で処理することがある。この場合は、分割時にパケットを分解し、再生時にパケットを再構成すればよい。
【００７０】
また、各種ヘッダ情報は家庭用記録再生装置、移動体用記録再生装置の両方に保存するとしたが、再生時に必要でないヘッダ情報であるならば分割時に削除してもよい。
なお、データの分割において、偶数番目のＧＯＰのデータは家庭用記録再生装置に、奇数番目のＧＯＰのデータは移動体用記録再生装置に保存するとしたがこれに限られたものではない。偶数番目、奇数番目が入れ替わってもよい。
【００７１】
また、ＧＯＰ毎に偶数・奇数番目で分割するとしたが、これに限られたものではない。１つ目、２つ目、４つ目、５つ目…のＧＯＰのデータを家庭用記録再生装置に保存、３つ目、６つ目のＧＯＰのデータを移動体用記録再生装置に保存といったように、その比率は任意に設定可能である。さらに保存先も２台の記録再生装置に限られたものではなく、３台以上の記録再生装置に保存としてもよい。
【００７２】
また、ＧＯＰ毎に分割するとしたが、これに限られたものではない。例えば、元のファイルが非圧縮の場合などはフレーム単位で分割を行ってもよい。
なお、データはＭＰＥＧ−２にて圧縮されているとしたが、これに限られたものではない。他の圧縮手法で圧縮されているものに対しても適用可能である。
【００７３】
なお、データを間引かれた部分に０を補間するとしたがこれに限られたものではない。他の値であっても映像・音声の再生時にノイズとならないデータであればよい。
また、データ分割後、２台の記録再生装置に保存する際に事前に補間処理を行って保存するとしてもよい。この場合は、データサイズは元のファイルと同様のものができる。
【００７４】
なお、データ送信指示受信（Ｓ４０１）は、家庭用記録再生装置が受信するとしてもよい。この場合は、データ送信通知を移動体用記録再生装置に送信し、データ送信通知を受信した後に、移動体用記録再生装置がデータの送信を始めればよい。
【００７５】
なお、データの合成は、家庭用記録再生装置で行ったが、これに限られるものではない。データ合成部を備えれば、移動体用記録再生装置でも合成処理を行うことができる。あるいは、他の機器であっても、家庭用記録再生装置と移動体用記録再生装置から分割済圧縮データを受信することが可能であれば、合成処理を行うことができる。
【産業上の利用可能性】
【００７６】
以上のように、本発明に係る記録再生装置およびデータ伝送システムは、簡単な分割処理でファイルサイズを小さくすることができ、また、再生を補償し、さらに分割したファイルを合成することでオリジナルデータの品質を簡単に再現することができるという効果を有し、家庭用記録再生装置、移動体用記録再生装置およびこれらによって構成されるシステム等として有用である。
【図面の簡単な説明】
【００７７】
【図１】本発明の実施の形態におけるデータ伝送システムの構成図
【図２】本発明の実施の形態における家庭用記録再生装置のデータ分割・送信処理のフローチャート
【図３】本発明の実施の形態におけるデータ分割の概要図
【図４】本発明の実施の形態における家庭用記録再生装置の分割済圧縮データ再生処理のフローチャート
【図５】本発明の実施の形態における保存用分割済圧縮データと補間済圧縮データの概要図
【図６】本発明の実施の形態におけるデータ送信・合成処理のフローチャート
【図７】本発明の実施の形態における家庭用記録再生装置の合成処理のサブルーチンを示すフローチャート
【図８】本発明の実施の形態における保存用分割済圧縮データと送信用分割済圧縮データおよび復元された圧縮データの概要図
【符号の説明】
【００７８】
１０１  家庭用記録再生装置
１０２  移動体用記録再生装置
１０３ａ，１０３ｂ  表示部
１０４  圧縮部
１０５ａ，１０５ｂ  記録部
１０６ａ，１０６ｂ  伸長・再生部
１０７ａ，１０７ｂ  データ補間部
１０８  データ分割部
１０９ａ，１０９ｂ  通信部
１１０  データ合成部
【図１】
2005295432.tif 000003
【図２】
2005295432.tif 000004
【図３】
2005295432.tif 000005
【図４】
2005295432.tif 000006
【図５】
2005295432.tif 000007
【図６】
2005295432.tif 000008
【図７】
2005295432.tif 000009
【図８】
2005295432.tif 000010